(57)【特許請求の範囲】
【請求項１】
外気温と室温と設定温度との関係に応じて、暖房、除湿及び冷房の運転モードを自動的に切り換える制御装置を備えた空気調和機であって、暦記憶手段を有し、使用者が設定した前記設定温度に対して、前記暦記憶手段に記憶された暦および外気温から前記運転モードおよび設定温度補正値を決定し、決定された前記運転モードを運転モード変更手段に送り、前記設定温度補正値を、前記設定温度を制御する設定温度変更手段に送って、前記暦および前記外気温に応じて前記設定温度を補正し、設定温度と室内温度の差によって運転領域をどの運転モードで運転を行うかを決定し、暦に応じて前記室内温度に対する閾値は変化させることを特徴とする空気調和機。
【請求項２】
外気温度検知手段を有し、前記暦と前記外気温度検知手段により得られた外気温度に応じて、設定温度を補正する設定温度変更手段を有することを特徴とする請求項１に記載の空気調和機。
【請求項３】
室内温度検知手段を有し、暦と外気温度と前記室内温度検知手段により得られた室内温度と設定温度に応じて、運転モードを変更する運転モード変更手段を有することを特徴とする請求項２に記載の空気調和機。
【請求項４】
室内湿度検知手段を有し、暦と外気温度と室内温度と前記室内湿度検知手段により得られた室内湿度と設定温度に応じて、運転モードを変更する運転モード変更手段を有することを特徴とする請求項３に記載の空気調和機。
【請求項５】
暦記憶手段の暦に応じて、所定の月を複数の季節に応じたグループに分けることを特徴とする請求項１〜４のいずれか１項に記載の空気調和機。
【発明の詳細な説明】
【技術分野】
【０００１】
本発明は暦に応じて運転モードおよび設定温度を制御し、より効率的で快適な空調条件が得られるようにした空気調和機に関するものである。
【背景技術】
【０００２】
近年では暖房、冷房、除湿等の運転モードを室内温度に応じて自動的に切換る手段を備えた空気調和機が一般的に市販されている。
【０００３】
また、室内温度と外気温度とが所定の温度範囲内にあるとき、暦に応じて運転モードを選択するものもある（例えば、特許文献１参照）。
【０００４】
また、春季や秋季に比べて冬季はより低い温度で、夏季はより高い温度で温熱的に中性申告が得られることが報告されている。
【特許文献１】特開平５−１１８６１１号公報
【発明の開示】
【発明が解決しようとする課題】
【０００５】
しかしながら、従来の構成では、室内温度のみで運転モードを決定していることが多く、暖房運転を行なったほうが快適な冬季に除湿運転を行なうこと等があり、必ずしも快適な運転モードで運転が行なわれていないという課題を有していた。
【０００６】
また、特許文献１記載の従来の構成では、暦に応じた運転モードを選択するものであるが、使用者が設定する設定温度は運転モードの決定に関して影響しない為、例えば、梅雨の時期に使用者が寒いと感じ、設定温度を上げたとしても、除湿運転から暖房運転に切り換わらない等、必ずしも快適な運転モードで運転が行なわれていないという課題を有していた。
【０００７】
また、夏季と冬季では同一の温度を設定しても、使用者の体感温度が季節によって異なり、例えば、夏と冬で同じ温度に設定したとしても体感温度は大きく異なる為、感じ方に大きな違いが生じるという課題を有していた。
【課題を解決するための手段】
【０００８】
前記従来の課題を解決する為に、本発明の空気調和機は、前記暦記憶手段の暦に応じて設定温度を変更する設定温度変更手段を有するものである。
【０００９】
これによって、例えば、使用者が梅雨の時期に寒いと感じ、設定温度を上げることで、除湿運転から暖房運転に切り換わるといった、使用者の要求にきめ細かく応え、快適な運転モードで運転が行われるものである。
【発明の効果】
【００１０】
本発明の空気調和機は、季節によって体感温度が異なる問題に対処でき、使用者の要求にきめ細かく応え、より快適に感じる空調を提供することができる。
【発明を実施するための最良の形態】
【００１１】
第１の発明は、外気温と室温と設定温度との関係に応じて、暖房、除湿及び冷房の運転モードを自動的に切り換える制御装置を備えた空気調和機であって、暦記憶手段を有し、使用者が設定した前記設定温度に対して、前記暦記憶手段に記憶された暦および外気温から前記運転モードおよび設定温度補正値を決定し、決定された前記運転モードを運転モード変更手段に送り、前記設定温度補正値を、前記設定温度を制御する設定温度変更手段に送って、前記暦および前記外気温に応じて前記設定温度を補正し、設定温度と室内温度の差によって運転領域をどの運転モードで運転を行うかを決定し、暦に応じて前記室内温度に対する閾値は変化させることで、暦に応じて適切な設定温度に補正することができ、使用者にとって快適な空調条件を提供することができる。
【００１２】
第２の発明は、特に、第１の発明の空気調和機に、外気温度検知手段を有し、暦と前記外気温度検知手段により得られた外気温度に応じて、設定温度を補正する設定温度変更手段を有することで、暦及び外気温度に応じて適切な設定温度に補正することができ、使用者にとって快適な空調条件を提供することができる。
【００１３】
第３の発明は、特に、第２の発明の空気調和機に、室内温度検知手段を有し、暦と外気温度と前記室内温度検知手段により得られた室内温度と設定温度に応じて、運転モードを変更する運転モード変更手段を有することで、暦、室内温度及び外気温度に応じて適切な運転モードを選択し且つ適切な設定温度に補正することができ、使用者にとって快適な空調条件を提供することができる。
【００１４】
第４の発明は、特に、第３の発明の空気調和機に、室内湿度検知手段を有し、暦と外気温度と室内温度と前記室内湿度検知手段により得られた室内湿度と設定温度に応じて、運転モードを変更する運転モード変更手段を有することで、暦、室内温度、外気温度及び室内湿度に応じて適切な運転モードを選択し且つ適切な設定温度に補正することができ、使用者にとって快適な空調条件を提供することができる。
【００１５】
第５の発明は、特に、第１〜４のいずれか１つの発明の空気調和機に、暦記憶手段の暦に応じて、所定の月を複数の季節に応じたグループに分けることで、季節に応じて適切な設定温度や運転モードに補正することができ、使用者にとって快適な空調条件を提供することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の一部を構成する運転モードおよび設定温度制御部の制御ブロック図である。
【００１８】
図１において、室内温度センサー１、室外温度センサー２、室内湿度センサー３、設定温度受信機４および運転モード受信機５からの出力信号は各々入力回路６を介し、信号分析手段８へ入力される。暦記憶手段である暦メモリー７に記憶された暦および信号分析手段８に入力された信号結果から、信号分析手段８で、運転モードおよび設定温度補正値が決定され、その結果が各々出力回路９を介して運転モードを制御する運転モード変更手段１０および室内設定温度を制御する設定温度変更手段１１に送られ、本発明の空気調和機が制御される。
【００１９】
図２は、本発明の第１の実施の形態における暦と設定温度の関係図をしめすものである。
【００２０】
図２において、暦が1月、２月および１２月の場合は、使用者が設定した設定温度Ｔｄに対し補正値ΔＴｄ（Ｔａ）ａを加えており、暦が３月および１１月の場合は、設定温度Ｔｄに対し補正値ΔＴｄ（Ｔａ）ｂを加えており、暦が６月および９月の場合は、設定温度Ｔｄに対し補正値ΔＴｄ（Ｔａ）ｃを加えており、暦が７月および８月の場合は、設定温度Ｔｄに対し補正値ΔＴｄ（Ｔａ）ｄを加えており、暦が４月、５月および１０月の場合は、設定温度Ｔｄに対し補正値を加えていないことを示している。
【００２１】
ここで、ΔＴｄ（Ｔａ）ａ〜ΔＴｄ（Ｔａ）ｄは、外気温度Ｔａに応じて変わる変数を意味しており、外気温度ＴａがＴａ＞Ｔｈである場合、Ｔｌ≦Ｔａ≦Ｔｈである場合、Ｔａ＜Ｔｌである場合によって変化する。
【００２２】
具体的には、例えば、Ｔａ＞Ｔｈの場合、ΔＴｄ（Ｔａ）ａ＝−１．０℃、ΔＴｄ（Ｔａ）ｂ＝−０．５℃、ΔＴｄ（Ｔａ）ｃ＝＋０．５℃、ΔＴｄ（Ｔａ）ｄ＝＋１．０℃、Ｔｌ≦Ｔａ≦Ｔｈの場合、ΔＴｄ（Ｔａ）ａ＝−０．５℃、ΔＴｄ（Ｔａ）ｂ＝−０．５℃、ΔＴｄ（Ｔａ）ｃ＝＋０．５℃、ΔＴｄ（Ｔａ）ｄ＝＋１．０℃、
Ｔａ＜Ｔｌの場合、ΔＴｄ（Ｔａ）ａ＝−１．０℃、ΔＴｄ（Ｔａ）ｂ＝−０．５℃、ΔＴｄ（Ｔａ）ｃ＝＋０．５℃、ΔＴｄ（Ｔａ）ｄ＝＋１．０℃
のように変化する。本実施例では、外気温度Ｔａの変化によって、ΔＴｄ（Ｔａ）ｃ＝＋０．５℃で変化しないが、変化させてももちろんよい。
【００２３】
また、所定の月を複数の季節に応じたグループに分け、そのグループで管理してもよい。例えば、１２、１、２月：冬季、３月：晩冬、４、５月：春季、６月：初夏、７、８月：夏季、９月：晩夏、１０月：秋季、１１月：初冬、と分類し、冬季（１２、１、２月）には補正値ΔＴｄ（Ｔａ）ａを加え、初冬及び晩冬（３月、１１月）には補正値ΔＴｄ（Ｔａ）ｂを加え、初夏及び晩夏（６月、９月）には補正値ΔＴｄ（Ｔａ）ｃを加え、夏季（７、８月）には補正値ΔＴｄ（Ｔａ）ｄを加える、としてもよい。
【００２４】
これにより、暦及び外気温度に応じて適切な設定温度に補正することができる。
【００２５】
図３（ａ）（ｂ）は、本発明の第１の実施の形態における１月、２月、１２月の所定の条件における運転モード説明図、図４（ａ）（ｂ）は、３月、１１月の所定の条件における運転モード説明図、図５（ａ）（ｂ）は、４月〜１０月の所定の条件における運転モード説明図をそれぞれ示すものである。
【００２６】
換言すれば、図３（ａ）（ｂ）は、冬季の、図４（ａ）（ｂ）は、初冬及び晩冬の、図５（ａ）（ｂ）は、春季〜秋季の所定の条件における運転モード説明図をそれぞれ示すもので、暦（季節）に応じて、使用者が冷房運転や暖房運転といった固定した運転モードを選択せずに、暖房、除湿及び冷房の運転モードを自動的に切り換える制御を使用して運転した場合に、室内温度Ｔｒ、外気温度Ｔａ、室内相対湿度Ｈｒおよび使用者が設定した設定温度Ｔｄに対して、どのような運転モードで運転するかを示したものである。
【００２７】
図３（ａ）、図４（ａ）、図５（ａ）は、設定温度Ｔｄと室内温度Ｔｒの関係がＴｂ≦Ｔｄ−Ｔｒ≦Ｔｃであり、且つ外気温度ＴａがＴａｂ≦Ｔａ≦Ｔａｆであり、且つ室内相対湿度ＨｒがＨａ≦Ｈｒである場合の運転モード説明図を表している。
【００２８】
図３（ｂ）図４（ｂ）、図５（ｂ）は、設定温度Ｔｄと室内温度Ｔｒの関係がＴｄ−Ｔｒ＜Ｔｂ、またはＴｃ＜Ｔｄ−Ｔｒ、または外気温度ＴａがＴａ＜Ｔａｂ、またはＴａｆ＜Ｔａ、または室内相対湿度ＨｒがＨｒ＜Ｈａである場合の運転モード説明図を表している。
【００２９】
図３（ａ）、（ｂ）において、Ｔｒａ≦Ｔｒ且つＴａ＜Ｔａａのとき運転領域Ａａであり、Ｔｄ−Ｔｒｂ≦Ｔｒ且つＴａａ≦Ｔａ＜Ｔａｂのとき運転領域Ａｂであり、Ｔｄ−Ｔｒｃ＋Ｔｇ≦Ｔｒ且つＴａｂ≦Ｔａ＜Ｔａｃのとき運転領域Ａｃであり、Ｔｄ−Ｔｒｄ≦Ｔｒ且つＴａｃ≦Ｔａ＜Ｔａｄのとき運転領域Ａｄであり、Ｔｅ≦Ｔｒ且つＴａｄ≦Ｔａ＜Ｔａｅのとき運転領域Ａｅであり、Ｔｅ≦Ｔｒ且つＴａｅ≦Ｔａ≦Ｔａｆのとき運転領域Ａｆであり、Ｔｅ≦Ｔｒ且つＴａｆ＜Ｔａのとき運転領域Ａｇであり、Ｔｒ＜Ｔｒａ且つＴａ＜Ｔａａのとき、またはＴｒ＜Ｔｒｅのとき運転領域Ａａ´であり、Ｔｒｅ≦Ｔｒ
＜Ｔｄ−Ｔｒｂ且つＴａａ≦Ｔａ＜Ｔａｂのとき運転領域Ａｂ´であり、Ｔｒｅ≦Ｔｒ＜Ｔｄ−Ｔｒｃ−Ｔｇ且つＴａｂ≦Ｔａ＜Ｔａｃのとき運転領域Ａｃ´であり、Ｔｒｅ≦Ｔｒ＜Ｔｄ−Ｔｒｄ且つＴａｃ≦Ｔａ＜Ｔａｄのとき運転領域Ａｄ´である。
【００３０】
図３（ａ）において、運転領域がＡｃ、Ａｄ、Ａｅ、Ａｆ、Ａａ´、Ａｃ´、Ａｄ´のとき再熱除湿運転を行う。図３（ｂ）において、運転領域がＡａ´、Ａｂ´、Ａｃ´、Ａｄ´のとき暖房運転を行い、運転領域がＡａ、Ａｂ、Ａｃ、Ａｅのとき除湿運転を行い、運転領域がＡｆ、Ａｇのとき冷房運転を行う。
【００３１】
図４（ａ）（ｂ）において、Ｔｒａ≦Ｔｒ且つＴａ＜Ｔａａのとき運転領域Ａａであり、Ｔｄ−Ｔｒｂ≦Ｔｒ且つＴａａ≦Ｔａ＜Ｔａｂのとき運転領域Ａｂであり、Ｔｄ−Ｔｒｃ＋Ｔｉ≦Ｔｒ且つＴａｂ≦Ｔａ＜Ｔａｃのとき運転領域Ａｃであり、Ｔｄ−Ｔｒｄ≦Ｔｒ且つＴａｃ≦Ｔａ＜Ｔａｄのとき運転領域Ａｄであり、Ｔｅ≦Ｔｒ且つＴａｄ≦Ｔａ＜Ｔａｅのとき運転領域Ａｅであり、Ｔｅ≦Ｔｒ且つＴａｅ≦Ｔａ≦Ｔａｆのとき運転領域Ａｆであり、Ｔｅ≦Ｔｒ且つＴａｆ＜Ｔａのとき運転領域Ａｇであり、Ｔｒ＜Ｔｒａ且つＴａ＜Ｔａａのとき、またはＴｒ＜Ｔｒｅのとき運転領域Ａａ´であり、Ｔｒｅ≦Ｔｒ＜Ｔｄ−Ｔｒｂ且つＴａａ≦Ｔａ＜Ｔａｂのとき運転領域Ａｂ´であり、Ｔｒｅ≦Ｔｒ＜Ｔｄ−Ｔｒｃ−Ｔｉ且つＴａｂ≦Ｔａ＜Ｔａｃのとき運転領域Ａｃ´であり、Ｔｒｅ≦Ｔｒ＜Ｔｄ−Ｔｒｄ且つＴａｃ≦Ｔａ＜Ｔａｄのとき運転領域Ａｄ´である。
【００３２】
図４（ａ）において、運転領域がＡｃ、Ａｄ、Ａｅ、Ａｆ、Ａａ´、Ａｃ´、Ａｄ´のとき再熱除湿運転を行う。図４（ｂ）において、運転領域がＡａ´、Ａｂ´、Ａｃ´、Ａｄ´のとき暖房運転を行い、運転領域がＡａ、Ａｂ、Ａｃ、Ａｅのとき除湿運転を行い、運転領域がＡｆ、Ａｇのとき冷房運転を行う。
図５（ａ）（ｂ）において、Ｔｒａ≦Ｔｒ且つＴａ＜Ｔａａのとき運転領域Ａａであり、Ｔｄ−Ｔｒｂ≦Ｔｒ且つＴａａ≦Ｔａ＜Ｔａｂのとき運転領域Ａｂであり、Ｔｄ−Ｔｒｃ≦Ｔｒ且つＴａｂ≦Ｔａ＜Ｔａｃのとき運転領域Ａｃであり、Ｔｄ−Ｔｒｄ≦Ｔｒ且つＴａｃ≦Ｔａ＜Ｔａｄのとき運転領域Ａｄであり、Ｔｅ≦Ｔｒ且つＴａｄ≦Ｔａ＜Ｔａｅのとき運転領域Ａｅであり、Ｔｅ≦Ｔｒ且つＴａｅ≦Ｔａ≦Ｔａｆのとき運転領域Ａｆであり、Ｔｅ≦Ｔｒ且つＴａｆ＜Ｔａのとき運転領域Ａｇであり、Ｔｒ＜Ｔｒａ且つＴａ＜Ｔａａのとき、またはＴｒ＜Ｔｒｅのとき運転領域Ａａ´であり、Ｔｒｅ≦Ｔｒ＜Ｔｄ−Ｔｒｂ且つＴａａ≦Ｔａ＜Ｔａｂのとき運転領域Ａｂ´であり、Ｔｒｅ≦Ｔｒ＜Ｔｄ−Ｔｒｃ且つＴａｂ≦Ｔａ＜Ｔａｃのとき運転領域Ａｃ´であり、Ｔｒｅ≦Ｔｒ＜Ｔｄ−Ｔｒｄ且つＴａｃ≦Ｔａ＜Ｔａｄのとき運転領域Ａｄ´である。
【００３３】
図５（ａ）において、運転領域がＡｃ、Ａｄ、Ａｅ、Ａｆ、Ａａ´、Ａｃ´、Ａｄ´のとき再熱除湿運転を行う。図５（ｂ）において、運転領域がＡａ´、Ａｂ´、Ａｃ´、Ａｄ´のとき暖房運転を行い、運転領域がＡａ、Ａｂ、Ａｃ、Ａｅのとき除湿運転を行い、運転領域がＡｆ、Ａｇのとき冷房運転を行う。
【００３４】
図３、図４、図５は上述したように、冬季、初冬及び晩冬、春季〜秋季の所定の条件における運転モード説明図をそれぞれ示すものであるが、暦（季節）に応じて、室内温度Ｔｒに対する閾値を変化させているという違いがある。
【００３５】
具体的には、運転領域ＡｃとＡｃ´との条件設定の室内温度Ｔｒに対する閾値は、図３（冬季）では、Ｔｄ−Ｔｒｃ＋Ｔｇ≦Ｔｒ、図４（初冬及び晩冬）では、Ｔｄ−Ｔｒｃ＋Ｔｉ≦Ｔｒ、図５（春季〜秋季）では、Ｔｄ−Ｔｒｃ≦Ｔｒとなっている。
【００３６】
また、本実施の形態では、図３〜図５の何れの（ａ）図の場合も、常に再熱除湿運転になることになるが、Ｔｂ、Ｔｃ、Ｔｒｃ、Ｔｒｄ、Ｔｇの値のとり方によっては、（ａ）
に記載の運転領域がＴｂ≦Ｔｄ−Ｔｒ≦Ｔｃの範囲から外れる場合があり（a）の条件とならない可能性もある。
【００３７】
各数値は、例えば、
Ｔａａ：１０℃、Ｔａｂ：１８℃、Ｔａｃ：２０℃、Ｔａｄ：２５℃、Ｔａｅ：２８℃、Ｔａｆ：３０℃
Ｔｒａ：３５℃、Ｔｒｂ：−８℃、Ｔｒｃ：＋５℃、Ｔｒｄ：＋３℃、Ｔｒｅ：１５℃
Ｔｇ：＋６℃、Ｔｉ：＋３℃
Ｈａ：７０％
Ｔｂ：−３．０℃、Ｔｃ：＋３．０℃のように設定できる。
【００３８】
以上のように構成された空気調和機についての本実施の形態の運転モードを決定する制御の流れを、図６を用いて説明する。
【００３９】
図６は、本発明の第１の実施の形態における運転モードを決定する制御のフローチャートを示すものである。
【００４０】
図６において、ＳＰ１において、自動運転が選択された場合、ＳＰ６へ進み、自動運転が選択されなかった場合、ＳＰ２へ進み、冷房運転が選択された場合ＳＰ１９へ進み冷房運転が確定する。ＳＰ２において、冷房運転が選択されなかった場合、ＳＰ３へ進み、除湿運転が選択された場合ＳＰ２０へ進み除湿運転が確定する。ＳＰ３において、冷房運転が選択されなかった場合、ＳＰ４へ進み、暖房運転が選択された場合ＳＰ２１へ進み暖房運転が確定する。ＳＰ４において、暖房運転が選択されなかった場合、ＳＰ５へ進み、再熱除湿運転が選択された場合ＳＰ１８へ進み再熱除湿運転が確定する。ＳＰ２において、再熱除湿運転が選択されなかった場合、ＳＰ５へ進み、空気調和機の運転が行なわれないことが確定する。
【００４１】
ＳＰ６において、使用者が設定した温度Ｔｄ及び室内温度Ｔｒの関係がＴｂ≦Ｔｄ−Ｔｒ≦ＴｃのときＳＰ７へ進み、Ｔｂ≦Ｔｄ−Ｔｒ≦ＴｃでないときＳＰ９へ進む。ＳＰ７において、外気温度ＴａがＴａｂ≦Ｔａ≦ＴａｆのときＳＰ８へ進み、Ｔａｂ≦Ｔａ≦ＴａｆでないときＳＰ９へ進む。ＳＰ８において、室内相対湿度ＨｒがＨｒ＜ＨａのときＳＰ１８へ進み、再熱除湿運転が確定し、Ｈｒ＜ＨａでないときＳＰ９へ進む。
【００４２】
ＳＰ９において、暦が１月または２月または１２月のとき（冬季）ＳＰ１１へ進み、暦が１月または２月または１２月でないときＳＰ１０へ進む。ＳＰ１１において、運転領域がＡａ´またはＡｂ´またはＡｃ´またはＡｄ´である場合、ＳＰ２１へ進み、暖房運転が確定する。また、ＳＰ１１において、運転領域がＡａ´またはＡｂ´またはＡｃ´またはＡｄ´でない場合、ＳＰ１２へ進み、運転領域がＡａまたはＡｂまたはＡｃまたはＡｄまたはＡｅである場合、ＳＰ２０へ進み、除湿運転が確定する。また、ＳＰ１２において、運転領域がＡａまたはＡｂまたはＡｃまたはＡｄまたはＡｅでない場合、ＳＰ１９へ進み、冷房運転が確定する。
【００４３】
ＳＰ１０において、暦が３月または１１月のとき（初冬及び晩冬）ＳＰ１３へ進み、暦が３月または１１月でないとき（春季〜秋季）ＳＰ１５へ進む。ＳＰ１３において、運転領域がＡａ´またはＡｂ´またはＡｃ´またはＡｄ´である場合、ＳＰ２１へ進み、暖房運転が確定する。また、ＳＰ１３において、運転領域がＡａ´またはＡｂ´またはＡｃ´またはＡｄ´でない場合、ＳＰ１４へ進み、運転領域がＡａまたはＡｂまたはＡｃまたはＡｄまたはＡｅである場合、ＳＰ２０へ進み、除湿運転が確定する。また、ＳＰ１４において、運転領域がＡａまたはＡｂまたはＡｃまたはＡｄまたはＡｅでない場合、ＳＰ１９へ進み、冷房運転が確定する。
【００４４】
ＳＰ１５において、運転領域がＡａ´またはＡｂ´またはＡｃ´またはＡｄ´である場合、ＳＰ２１へ進み、暖房運転が確定する。また、ＳＰ１５において、運転領域がＡａ´またはＡｂ´またはＡｃ´またはＡｄ´でない場合、ＳＰ１６へ進み、運転領域がＡａまたはＡｂまたはＡｃまたはＡｄまたはＡｅである場合、ＳＰ２０へ進み、除湿運転が確定する。また、ＳＰ１６において、運転領域がＡａまたはＡｂまたはＡｃまたはＡｄまたはＡｅでない場合、ＳＰ１９へ進み、冷房運転が確定する。
【００４５】
次に、以上のように構成された空気調和機についての本実施の形態の設定温度を決定する制御の流れを、図７を用いて説明する。
【００４６】
図７は、本発明の第１の実施の形態における設定温度を決定する制御のフローチャートを示すものである。
【００４７】
ここで、Ｔａ＞Ｔｈの場合、ΔＴｄ（Ｔａ）ａ＝ａ、ΔＴｄ（Ｔａ）ｂ＝ｂ、ΔＴｄ（Ｔａ）ｃ＝ｃ、ΔＴｄ（Ｔａ）ｄ＝ｄ、
Ｔｌ≦Ｔａ≦Ｔｈの場合、ΔＴｄ（Ｔａ）ａ＝ｅ、ΔＴｄ（Ｔａ）ｂ＝ｆ、ΔＴｄ（Ｔａ）ｃ＝ｇ、ΔＴｄ（Ｔａ）ｄ＝ｈ、
Ｔａ＜Ｔｌの場合、ΔＴｄ（Ｔａ）ａ＝ｉ、ΔＴｄ（Ｔａ）ｂ＝ｊ、ΔＴｄ（Ｔａ）ｃ＝ｋ、ΔＴｄ（Ｔａ）ｄ＝ｌと記載することとする。
【００４８】
図７において、ＳＰ１において、暦が１月または２月または１２月である場合（冬季）、ＳＰ５へ進み、暦が１月または２月または１２月でない場合、ＳＰ２へ進む。ＳＰ５において、外気温度ＴａがＴｈ＜ＴａのときＳＰ１５へ進み、設定温度はＴｄ＋ａとなり、外気温度ＴａがＴｈ＜ＴａでないときＳＰ６へ進む。ＳＰ６において、外気温度ＴａがＴｌ≦Ｔａ≦ＴｈのときＳＰ１４へ進み、設定温度はＴｄ＋ｅとなり、外気温度ＴａがＴｌ≦Ｔａ≦ＴｈのでないときＳＰ１３へ進み、設定温度はＴｄ＋ｉとなる。
【００４９】
ＳＰ２において、暦が３月または１１月である場合（初冬及び晩冬）、ＳＰ７へ進み、暦が３月または１１月でない場合、ＳＰ３へ進む。ＳＰ７において、外気温度ＴａがＴｈ＜ＴａのときＳＰ１８へ進み、設定温度はＴｄ＋ｂとなり、外気温度ＴａがＴｈ＜ＴａでないときＳＰ８へ進む。ＳＰ８において、外気温度ＴａがＴｌ≦Ｔａ≦ＴｈのときＳＰ１７へ進み、設定温度はＴｄ＋ｆとなり、外気温度ＴａがＴｌ≦Ｔａ≦ＴｈのでないときＳＰ１６へ進み、設定温度はＴｄ＋ｊとなる。
【００５０】
ＳＰ３において、暦が６月または９月である場合（初夏及び晩夏）、ＳＰ９へ進み、暦が６月または９月でない場合、ＳＰ４へ進む。ＳＰ９において、外気温度ＴａがＴｈ＜ＴａのときＳＰ２１へ進み、設定温度はＴｄ＋ｃとなり、外気温度ＴａがＴｈ＜ＴａでないときＳＰ１０へ進む。ＳＰ１０において、外気温度ＴａがＴｌ≦Ｔａ≦ＴｈのときＳＰ２０へ進み、設定温度はＴｄ＋ｇとなり、外気温度ＴａがＴｌ≦Ｔａ≦ＴｈのでないときＳＰ１９へ進み、設定温度はＴｄ＋ｋとなる。
【００５１】
ＳＰ４において、暦が７月または８月である場合（夏季）、ＳＰ１１へ進み、暦が７月または８月でない場合（春季及び秋季）、ＳＰ２５へ進み、設定温度はＴｄとなる。ＳＰ１１において、外気温度ＴａがＴｈ＜ＴａのときＳＰ２４へ進み、設定温度はＴｄ＋ｄとなり、外気温度ＴａがＴｈ＜ＴａでないときＳＰ１２へ進む。ＳＰ１２において、外気温度ＴａがＴｌ≦Ｔａ≦ＴｈのときＳＰ２３へ進み、設定温度はＴｄ＋ｈとなり、外気温度ＴａがＴｌ≦Ｔａ≦ＴｈのでないときＳＰ２２へ進み、設定温度はＴｄ＋ｌとなる。
【００５２】
以上のように、本実施の形態では、暦、外気温度に応じて設定温度を補正し、暦、外気
温度、設定温度、室内温度と室内湿度に応じて運転モードの決定を行うことで、運転モードの決定に関して、暦と設定温度の概念が含まれている為、使用者の求める空調に対して、より的確な運転モードが選択でき、季節によって体感温度が異なる問題に対処でき、使用者の要求にきめ細かく応え、より快適に感じる空調を提供することができる。
【産業上の利用可能性】
【００５３】
以上のように、本発明にかかる空気調和機は、暦に応じた最適な運転モードを選択でき、且つ暦に応じて最適な設定温度に補正することができることから、効率的で快適な空調条件が求められる家庭用空気調和機の用途に有用である。
【図面の簡単な説明】
【００５４】
【図１】本発明の実施の形態１における空気調和機の一部を構成する運転モードおよび設定温度制御部の制御ブロック図
【図２】本発明の実施の形態１における暦と設定温度の関係図
【図３】本発明の実施の形態１における１月、２月、１２月の（ａ）所定の条件における運転モード説明図（ｂ）別の条件における運転モード説明図
【図４】本発明の実施の形態１における３月、１１月の（ａ）所定の条件における運転モード説明図（ｂ）別の条件における運転モード説明図
【図５】本発明の実施の形態１における４月、５月、６月、７月、８月、９月、１０月の（ａ）所定の条件における運転モード説明図（ｂ）別の条件における運転モード説明図
【図６】本発明の実施の形態１における運転モードを決定する制御のフローチャート
【図７】本発明の実施の形態１における設定温度を決定する制御のフローチャート
【符号の説明】
【００５５】
１  室内温度センサー
２  外気温度センサー
３  室内湿度センサー
４  設定温度受信機
５  運転モード受信機
６  入力回路
７  暦メモリー
８  信号分析手段
９  出力回路
１０  運転モード変更手段
１１  設定温度変更手段
【図１】
0005194696.tif 000002
【図２】
0005194696.tif 000003
【図３】
0005194696.tif 000004
【図４】
0005194696.tif 000005
【図５】
0005194696.tif 000006
【図６】
0005194696.tif 000007
【図７】
0005194696.tif 000008